(57)【要約】      （修正有）【課題】テレビジョンカメラは、定格の数倍の信号レベルで信号処理が行われ、出力される信号は規格によりＳＤＩ信号の場合、最大で１０９％でクリップされ、それ以上の信号は全く観測できなくなる。１０９％を超える高レベルの映像信号を、通常のモニタや測定器で観測できるようにする。【解決手段】ＳＤＩ信号出力手段と、映像信号のレベル圧縮手段と、映像信号の時間軸圧縮手段とを有し、レベル圧縮手段は映像信号のレベルを１／２倍と１／４倍にし、時間軸圧縮手段は映像信号を時間軸で１／３に圧縮し、ＳＤＩ信号出力手段は１倍の映像信号と、１／２倍の映像信号と、１／４倍の映像信号を１水平期間に配置したＳＤＩ信号を出力する。【選択図】図１
2014036412.tif 000002
【特許請求の範囲】
【請求項１】
ＳＤＩ信号出力手段を有するテレビジョンカメラにおいて、
映像信号のレベル圧縮手段と、映像信号の時間軸圧縮手段とを有し、
前記レベル圧縮手段は、映像信号のレベルを１／２倍と１／４倍にし、
前記時間軸圧縮手段は、映像信号を時間軸で１／３に圧縮し、
前記ＳＤＩ信号出力手段は、１倍の映像信号と、１／２倍の映像信号と、１／４倍の映像信号を１水平期間に配置したＳＤＩ信号を出力することを特徴とするテレビジョンカメラ。
【請求項２】
請求項１に記載のテレビジョンカメラにおいて、
前記映像信号がＨＤ−ＳＤＩ信号で４：２：２のＹ：ＰＢ：ＰＲの場合は、
前記レベル圧縮手段が、Ｙ信号、ＰＢ信号、ＰＲ信号を各々１／２倍と１／４倍とし、
前記時間軸圧縮手段が、Ｙ信号、ＰＢ信号、ＰＲ信号を時間軸で各々１／３に圧縮し、
前記ＳＤＩ信号出力手段が、Ｙ信号、ＰＢ信号、ＰＲ信号の各々を１倍の信号と、１／２倍の信号と、１／４倍の信号を１水平期間に配置したＳＤＩ信号を出力し、
前記映像信号が３Ｇ−ＳＤＩ信号で４：４：４のＲ：Ｇ：Ｂの第１の場合は、
前記レベル圧縮手段が、Ｒ信号とＧ信号とＢ信号をＹ信号に変換し、該Ｙ信号のレベルを１／２倍と１／４倍にし、
前記時間軸圧縮手段が、Ｙ信号を１／３に圧縮し、
前記ＳＤＩ信号出力手段が、１倍のＹ信号と、１／２倍のＹ信号と、１／４倍のＹ信号を１水平期間に配置したＳＤＩ信号を出力し、
前記映像信号が３Ｇ−ＳＤＩ信号で４：４：４のＲ：Ｇ：Ｂの第２の場合は、
前記レベル圧縮手段が、Ｒ信号、Ｇ信号、Ｂ信号を各々１／２倍と１／４倍とし、
前記時間軸圧縮手段が、Ｒ信号、Ｇ信号、Ｂ信号を時間軸で各々１／９に圧縮し、
前記ＳＤＩ信号出力手段が、１倍のＲ信号と、１／２倍のＲ信号と、１／４倍のＲ信号と、１倍のＧ信号と、１／２倍のＧ信号と、１／４倍のＧ信号と、１倍のＢ信号と、１／２倍のＢ信号と、１／４倍のＢ信号を１水平期間に配置したＳＤＩ信号を出力することを特徴とするテレビジョンカメラ。
【発明の詳細な説明】
【技術分野】
【０００１】
本発明は、テレビジョンカメラに関し、特にメンテナンスの向上に関するものである。
【背景技術】
【０００２】
テレビジョン信号は、規格で出力信号レベルが規定されており、ＳＤＩ(Serial
Digital Interface)信号の場合、定格１００％、最大信号レベル１０９％となっている。
テレビジョンカメラは、定格の数倍の信号レベルを処理しているが、テレビジョン信号規格では最大信号レベルが１０９％であるため、高輝度部分(約９０％超)の信号を１０９％以内に収まるように圧縮して出力している。また、出力信号はモニタや測定器等で状態が観測できる。
【０００３】
従来、ＨＤＴＶ映像信号をシリアルデジタル信号で伝送する時、カメラ映像信号に重畳するインジケータ信号を圧縮映像データの伝送量を犠牲にすることなく、効率良く伝送する技術が開示されている（例えば、特許文献１参照。）。
【先行技術文献】
【特許文献】
【０００４】
【特許文献１】特開２０１１−２２３３８１号公報
【発明の概要】
【発明が解決しようとする課題】
【０００５】
テレビジョンカメラは、定格の数倍の信号レベルで信号処理が行われているが、テレビジョンカメラから出力される信号は、規格によりＳＤＩ信号の場合、最大で１０９％である。
映像信号レベルが約９０％超は、高輝度信号圧縮処理により数百％の信号を１０９％までの２０％程度に圧縮されている。また、圧縮処理を解除した場合は、出力信号が１０９％でクリップされ、それ以上の信号は全く観測できなくなる。さらに、状態が異なる複数の信号を比較するためには、状態ごとに画像や波形等を保存し、その後で比較する必要がある。本発明の目的は、この課題を解決するものである。
【課題を解決するための手段】
【０００６】
本発明のテレビジョンカメラは、ＳＤＩ信号出力手段と、映像信号のレベル圧縮手段と、映像信号の時間軸圧縮手段とを有し、レベル圧縮手段は映像信号のレベルを１／２倍と１／４倍にし、時間軸圧縮手段は映像信号を時間軸で１／３に圧縮し、ＳＤＩ信号出力手段は１倍の映像信号と、１／２倍の映像信号と、１／４倍の映像信号を１水平期間に配置したＳＤＩ信号を出力することを特徴とする。
【０００７】
また、本発明の上記のテレビジョンカメラで、映像信号がＨＤ−ＳＤＩ信号で４：２：２のＹ：ＰＢ：ＰＲの場合は、レベル圧縮手段が、Ｙ信号、ＰＢ信号、ＰＲ信号を各々１／２倍と１／４倍とし、時間軸圧縮手段が、Ｙ信号、ＰＢ信号、ＰＲ信号を時間軸で各々１／３に圧縮し、ＳＤＩ信号出力手段が、Ｙ信号、ＰＢ信号、ＰＲ信号の各々を１倍の信号と、１／２倍の信号と、１／４倍の信号を１水平期間に配置したＳＤＩ信号を出力し、映像信号が３Ｇ−ＳＤＩ信号で４：４：４のＲ：Ｇ：Ｂの第１の場合は、レベル圧縮手段が、Ｒ信号とＧ信号とＢ信号をＹ信号に変換し、該Ｙ信号のレベルを１／２倍と１／４倍にし、時間軸圧縮手段が、Ｙ信号を１／３に圧縮し、ＳＤＩ信号出力手段が、１倍のＹ信号と、１／２倍のＹ信号と、１／４倍のＹ信号を１水平期間に配置したＳＤＩ信号を出力し、映像信号が３Ｇ−ＳＤＩ信号で４：４：４のＲ：Ｇ：Ｂの第２の場合は、レベル圧縮手段が、Ｒ信号、Ｇ信号、Ｂ信号を各々１／２倍と１／４倍とし、時間軸圧縮手段が、Ｒ信号、Ｇ信号、Ｂ信号を時間軸で各々１／９に圧縮し、ＳＤＩ信号出力手段が、１倍のＲ信号と、１／２倍のＲ信号と、１／４倍のＲ信号と、１倍のＧ信号と、１／２倍のＧ信号と、１／４倍のＧ信号と、１倍のＢ信号と、１／２倍のＢ信号と、１／４倍のＢ信号を１水平期間に配置したＳＤＩ信号を出力することを特徴とする。
【発明の効果】
【０００８】
本発明によれば、１０９％を超える高レベルの映像信号を、通常のモニタや測定器で観測できるようになる。また、状態が異なる複数の信号を同時に比較でき、問題発生時の解析等に利用できる。
【図面の簡単な説明】
【０００９】
【図１】本発明のテレビジョンカメラの一実施例を示すブロック図である。
【図２】本発明の一実施例であるレベル・時間軸圧縮部を説明するためのブロック図である。
【図３】本発明の一実施例を説明するためのタイミングチャートである。
【図４】本発明の一実施例である定格入力レベル出力時の波形図である。
【図５】本発明の一実施例である定格入力レベルの２倍時の出力波形図である。
【図６】本発明の一実施例である定格入力レベルの４倍時の出力波形図である。
【図７】通常の定格入力レベル出力時の波形図である。
【図８】ＳＤＩ内の信号を説明するための図である。
【図９】ＳＤＩ内の信号を説明するための図である。
【図１０】本発明の他の一実施例である出力信号がＨＤ−ＳＤＩである場合を説明するための図である。
【図１１】本発明の他の一実施例であるＹ出力信号が３Ｇ−ＳＤＩである場合を説明するための図である。
【図１２】本発明のさらに他の一実施例であるＲＧＢ出力信号が３Ｇ−ＳＤＩである場合を説明するための図である。
【発明を実施するための形態】
【００１０】
以下、本発明の一実施例について図を用いて説明する。
図１は本発明のテレビジョンカメラの一実施例を示すブロック図である。
図１において、入射光はレンズ部２で結像され、結像された入射光はテレビジョンカメラ２１のプリズム部３で赤色光と緑色光および青色光に分解され、赤色光はＣＣＤ(Charge Coupled Device)部４Ｒに入射され、緑色光はＣＣＤ部４Ｇに入射され、青色光はＣＣＤ部４Ｂに入射される。
【００１１】
ＣＣＤ部４Ｒに入射された赤色光はＣＣＤ部４Ｒで光電変換されて赤色信号となる。赤色信号はＣＤＳ(correlated double sampling)部５Ｒで雑音等が除去され、ＶＧＡ(Variable
Gain Amplifier)部６Ｒで所定のレベルに増幅され、Ａ／Ｄ変換部(Analog Digital
converter)７Ｒでデジタル信号に変換されてＲ信号となる。
同様に、ＣＣＤ部４Ｇに入射された緑色光はＣＣＤ部４Ｇで光電変換されて緑色信号となる。緑色信号はＣＤＳ部５Ｇで雑音等が除去され、ＶＧＡ部６Ｇで所定のレベルに増幅され、Ａ／Ｄ変換部７Ｇでデジタル信号に変換されてＧ信号となる。
同様に、ＣＣＤ部４Ｂに入射された青色光はＣＣＤ部４Ｂで光電変換されて青色信号となる。青色信号はＣＤＳ部５Ｂで雑音等が除去され、ＶＧＡ部６Ｂで所定のレベルに増幅され、Ａ／Ｄ変換部７Ｂでデジタル信号に変換されてＢ信号となる。
【００１２】
Ｒ信号、Ｇ信号、Ｂ信号は、映像信号処理部８で色補正、輪郭補正、ガンマ補正、ニー補正等の各種映像信号処理が行われ、レベル・時間軸圧縮部１２で映像信号のレベル調整と時間軸圧縮を行い、マトリクス変換部９でＲＧＢ信号からＹＣｂＣｒ信号またはＹＰＢＰＲ信号への変換を行い、映像信号出力部１０でＳＤＩ信号に変換して接栓１３からＳＤＩ信号出力として出力する。
ＣＰＵ(Central Processing Unit)１１は、テレビジョンカメラ２１の各部を制御する。
【実施例１】
【００１３】
本発明の一実施例を図２〜図７を用いて説明する。
本一実施例では、１０８０ｉフォーマットの信号で、３種類の異なる状態の信号を同時に観測するための方法を説明する。
図２はレベル・時間軸圧縮部１２のブロック図である。図２は１ｃｈ分のみ図示しているが、実際には同回路がＲＧＢ３ｃｈ分で構成される。
【００１４】
まず、３種類の信号を観測するために、水平ダウンコンバート回路１２１により、入力信号１２０を１／３の画素数に公知の技術を用いて変換する。１０８０ｉフォーマットは、１ラインの水平有効画素数が１９２０画素なので、ここで１／３の６４０画素に変換される。変換された信号はメモリ部１２２に格納される。
【００１５】
メモリ部１２２の出力は、３系統に分岐し、乗算部１２３，１２４，１２５に入力される。本一実施例では、乗算部１２３の利得を１倍、乗算部１２４の利得を０．５倍（１／２倍）、乗算部１２５の利得を０．２５倍（１／４倍）に設定するものとする。
入力信号１２０の１ラインの水平有効画素が１９２０画素に対し、メモリ部１２２に格納されたデータは６４０画素であるため、メモリ部１２２出力は１ライン期間に同じ信号を３回出力するようにメモリ部１２２のリードアドレスを制御する。また、利得の異なる３つの信号を信号選択部１２６で選択信号１２８（Ｓｅｌ１、Ｓｅｌ２、Ｓｅｌ３）により切り換えて出力信号１２７として出力する。
【００１６】
次に本発明の一実施例の動作を図３で説明する。図３は本発明の一実施例を説明するためのタイミングチャートである。
メモリ部１２２の水平カウンタは、１ラインを０から１９１９までカウントを行う。
メモリ部１２２のアドレスカウンタは、０から６３９までを３回カウントを行う。
乗算部１２３はメモリ部１２２の出力信号を利得１．０倍にして出力１２３１として出力する。  乗算部１２４はメモリ部１２２の出力信号を利得０．５倍にして出力１２３２として出力する。乗算部１２５はメモリ部１２２の出力信号を利得０．２５倍にして出力１２３３として出力する。
選択信号１２８のＳｅｌ１はアドレスカウンタの１回目の０から６３９までの範囲を選択する信号である。選択信号１２８のＳｅｌ２はアドレスカウンタの２回目の０から６３９までの範囲を選択する信号である。選択信号１２８のＳｅｌ３はアドレスカウンタの３回目の０から６３９までの範囲を選択する信号である。
出力信号１２７は、１ラインを利得１．０倍の信号１２３１、利得０．５倍の信号１２３２、利得０．２５倍の信号１２３３の順で出力する。
【００１７】
次に本発明の一実施例を図示していない測定器で表示した波形表示例について、図４から図７を用いて説明する。
図７は通常の定格入力レベル出力時の波形図である。この波形図はレベル・時間軸圧縮部１２で定格入力レベルに対して何の処理を施さない場合である。
【００１８】
図４は本発明の一実施例である定格入力レベル出力時の波形図である。
図４は、ＳＤＩ出力信号の１倍信号が１００％になるように入力光量を調整したときの波形図で、１．０倍、０．５倍、０．２５倍の利得が異なる３種類の信号を同時に観測できる。１倍信号は１０９％までしか観測できないが、０．５倍信号は最大２１８％（１０９％の２倍）、０．２５倍信号は最大４３６％（１０９％の４倍）まで観測できる。
０．５倍信号は、縦軸の数値を２倍にして読めば正確な信号レベルとなる。
０．２５倍信号は、縦軸の数値を４倍にして読めば正確な信号レベルとなる。
【００１９】
図５は本発明の一実施例である定格入力レベルの２倍時の出力波形図である。
図５は、入力光量を定格の２倍（２００％）にした場合の波形図である。
図５の１．０倍信号は１０９％でクリップ（飽和）して、それ以上の信号は観測できないが、０．５倍信号と０．２５倍信号は信号が飽和しない状態で観測できる。
【００２０】
図６は本発明の一実施例である定格入力レベルの４倍時の出力波形図である。
図６は、入力光量を定格の４倍（４００％）にした場合の波形図である。
図６の１．０倍信号は１０９％でクリップ（飽和）し、０．５倍信号は２１８％でクリップ（飽和）し、各々それ以上の信号は観測できないが、０．２５倍信号は信号が飽和しない状態で観測できる。
【実施例２】
【００２１】
本発明の他の一実施例を図８と図１０を用いて説明する。
図８はＳＤＩ内の信号を説明するための図である。
図８は、Ｙ信号とＰＢ信号とＰＲ信号が４：２：２であり、信号は１．５ＧＢｐｓであり、Ｙ，ＰＢ，Ｙ，ＰＲ，・・・，Ｙ，ＰＢ，Ｙ，ＰＲの順であり、各画素（Ｙ，ＰＢ，ＰＲ）は１０ｂｉｔの塊である。
【００２２】
図１０は本発明の他の一実施例である出力信号がＨＤ−ＳＤＩである場合を説明するための図である。
図１０（Ａ）は、テレビジョンカメラ内部のＨＤ−ＳＤＩ信号波形を説明するための図であり、定格入力レベルの４倍時のＲＧＢ信号からＹ信号、ＰＢ信号、ＰＲ信号をマトリクス変換部９で変換し、利得１．０倍の各信号波形図である。
図１０（Ａ）の（ａ１）は、利得が１．０倍（０ｄＢ）のＹ信号の波形図である。Ｙ信号はレベルが１０９％でクリップ（飽和）している。
図１０（Ａ）の（ｂ１）は、利得が１．０倍（０ｄＢ）のＰＢ信号の波形図である。
図１０（Ａ）の（ｃ１）は、利得が１．０倍（０ｄＢ）のＰＲ信号の波形図である。
【００２３】
マトリクス変換部９は、（式１）、（式２）、（式３）で演算する。
Ｙ≒０．３Ｒ＋０．６Ｇ＋０．１Ｂ  ・・・  （式１）
ＰＢ≒（Ｂ−Ｙ）／０．６          ・・・  （式２）
ＰＲ≒（Ｒ−Ｙ）／０．６          ・・・  （式３）
【００２４】
図１０（Ｂ）は、本発明の他の一実施例である出力するＨＤ−ＳＤＩ信号波形を説明するための図である。
映像信号処理部８から出力されたＲ信号，Ｇ信号，Ｂ信号は、レベル・時間軸圧縮部１２で、各々の信号が１ライン期間に１．０倍、０．５倍、０．２５倍の利得が異なる３種類の信号を順次出力する。
図１０（Ｂ）の（ａ２）は、１ライン期間にＹ信号の利得が１．０倍（０ｄＢ）と、利得が０．５倍（−６ｄＢ）と、利得が０．２５倍（−１２ｄＢ）の信号波形図である。
Ｙ信号の１．０倍信号は１０９％でクリップ（飽和）し、０．５倍信号は２１８％でクリップ（飽和）し、各々それ以上の信号は観測できないが、０．２５倍信号は信号が飽和しない状態で観測できる。
図１０（Ｂ）の（ｂ２）は、１ライン期間にＰＢ信号の利得が１．０倍（０ｄＢ）と、利得が０．５倍（−６ｄＢ）と、利得が０．２５倍（−１２ｄＢ）の信号波形図である。
図１０（Ｂ）の（ｃ２）は、１ライン期間にＰＲ信号の利得が１．０倍（０ｄＢ）と、利得が０．５倍（−６ｄＢ）と、利得が０．２５倍（−１２ｄＢ）の信号波形図である。
【００２５】
図１０（Ｂ）において、信号を０．５倍（−６ｄＢ）にするためには、１０ｂｉｔの信号のＬＳＢ(Least Significant Bit)を削除して、ＬＳＢ側に１ビットシフトすることにより、容易に利得調整ができる。
信号を０．２５倍（−１２ｄＢ）にするためには、１０ｂｉｔの信号のＬＳＢ側の２ビットを削除して、ＬＳＢ側に２ビットシフトすることにより、容易に利得調整ができる。
【実施例３】
【００２６】
本発明の他の一実施例を図９と図１１を用いて説明する。
図９はＳＤＩ内の信号を説明するための図である。
図９は、Ｒ信号とＧ信号とＢ信号が４：４：４であり、信号は３ＧＢｐｓであり、Ｒ，Ｇ，Ｂ，Ｒ，Ｇ，Ｂ，・・・，Ｒ，Ｇ，Ｂの順であり、各画素（Ｒ，Ｇ，Ｂ）は１０ｂｉｔの塊である。
【００２７】
図１１は本発明の他の一実施例であるＹ出力信号が３Ｇ−ＳＤＩである場合を説明するための図である。
図１１（Ａ）は、テレビジョンカメラ内部の３Ｇ−ＳＤＩ信号波形を説明するための図である。
図１１（Ａ）は、映像信号処理部８から出力された定格入力レベルの４倍のＲ信号，Ｇ信号，Ｂ信号は、レベル・時間軸圧縮部１２で、各々の信号が１ライン期間に利得１．０倍のＲ信号、利得１．０倍のＧ信号、利得１．０倍のＢ信号の３種類の信号を順次出力した波形図であり、１．０倍のＲ信号，Ｇ信号，Ｂ信号はレベルが１０９％でクリップ（飽和）して、それ以上の信号は観測できない。
【００２８】
図１１（Ｂ）は、出力する３Ｇ−ＳＤＩ信号波形を説明するための図である。
図１１（Ｂ）は、映像信号処理部８から出力された定格入力レベルの４倍のＲ信号，Ｇ信号，Ｂ信号は、レベル・時間軸圧縮部１２で、１／３に時間軸圧縮して１．０倍、０．５倍、０．２５倍の利得が異なる３種類の信号を１ライン期間に各々順次出力する。
マトリクス変換部９は、上述の（式１）でＹ信号に変換して、１ライン期間にＹ信号の利得が１．０倍（０ｄＢ）と、利得が０．５倍（−６ｄＢ）と、利得が０．２５倍（−１２ｄＢ）を出力する。
図１１（Ｂ）の１．０（０ｄＢ）倍Ｙ信号は１０９％でクリップ（飽和）し、０．５倍（−６ｄＢ）Ｙ信号は２１８％でクリップ（飽和）し、各々それ以上の信号は観測できないが、０．２５倍（−１２ｄＢ）Ｙ信号は信号が飽和しない状態で観測できる。
【実施例４】
【００２９】
本発明の他の一実施例を図９と図１２を用いて説明する。
図９はＳＤＩ内の信号を説明するための図である。
図９は、Ｒ信号とＧ信号とＢ信号が４：４：４であり、信号は３ＧＢｐｓであり、Ｒ，Ｇ，Ｂ，Ｒ，Ｇ，Ｂ，・・・，Ｒ，Ｇ，Ｂの順であり、各画素（Ｒ，Ｇ，Ｂ）は１０ｂｉｔの塊である。
【００３０】
図１２は本発明のさらに他の一実施例であるＲＧＢ出力信号が３Ｇ−ＳＤＩである場合を説明するための図である。
図１２（Ａ）は、テレビジョンカメラ内部の３Ｇ−ＳＤＩ信号波形を説明するための図である。
図１２（Ａ）は、映像信号処理部８から出力された定格入力レベルの４倍のＲ信号，Ｇ信号，Ｂ信号は、レベル・時間軸圧縮部１２で、各々の信号が１ライン期間に利得１．０倍のＲ信号、利得１．０倍のＧ信号、利得１．０倍のＢ信号の３種類の信号を順次出力した波形図であり、１．０倍のＲ信号，Ｇ信号，Ｂ信号はレベルが１０９％でクリップ（飽和）して、それ以上の信号は観測できない。
【００３１】
図１２（Ｂ）は、出力する３Ｇ−ＳＤＩ信号波形を説明するための図である。
図１２（Ｂ）は、映像信号処理部８から出力された定格入力レベルの４倍のＲ信号，Ｇ信号，Ｂ信号は、レベル・時間軸圧縮部１２で、１／９に時間軸圧縮して１．０倍、０．５倍、０．２５倍の利得が異なる３種類の信号を１ライン期間に各々順次出力する。
図１２（Ｂ）の１．０（０ｄＢ）倍Ｒ信号は１０９％でクリップ（飽和）し、０．５倍（−６ｄＢ）Ｒ信号は２１８％でクリップ（飽和）し、各々それ以上の信号は観測できないが、０．２５倍（−１２ｄＢ）Ｒ信号は信号が飽和しない状態で観測できる。また、１．０（０ｄＢ）倍Ｇ信号は１０９％でクリップ（飽和）し、０．５倍（−６ｄＢ）Ｇ信号は２１８％でクリップ（飽和）し、各々それ以上の信号は観測できないが、０．２５倍（−１２ｄＢ）Ｇ信号は信号が飽和しない状態で観測できる。さらに、１．０（０ｄＢ）倍Ｂ信号は１０９％でクリップ（飽和）し、０．５倍（−６ｄＢ）Ｂ信号は２１８％でクリップ（飽和）し、各々それ以上の信号は観測できないが、０．２５倍（−１２ｄＢ）Ｂ信号は信号が飽和しない状態で観測できる。
【００３２】
上述で説明したように、本発明は、１０９％を超える高レベルの映像信号を、通常のモニタや測定器で観測できるようになる。また、状態が異なる複数の信号を同時に比較でき、問題発生時の解析等に利用できる。
【００３３】
以上本発明について詳細に説明したが、本発明は、ここに記載されたテレビジョンカメラに限定されるものではなく、上記以外の撮像装置に広く適用することができることは言うまでもない。
【符号の説明】
【００３４】
２１：テレビジョンカメラ、２：レンズ部、３：プリズム部、４Ｒ，４Ｇ，４Ｂ：ＣＣＤ部、５Ｒ，５Ｇ，５Ｂ：ＣＤＳ部、６Ｒ，６Ｇ，６Ｂ：ＶＧＡ部、７Ｒ，７Ｇ，７Ｂ：Ａ／Ｄ変換部、８：映像信号処理部、９：マトリクス変換部、１０：映像信号出力部、
１１：ＣＰＵ、１２：レベル・時間軸圧縮部、１２１：水平ダウンコンバータ、１２２：メモリ、１２３：乗算器、１２４：信号選択部。
【図１】
2014036412.tif 000003
【図２】
2014036412.tif 000004
【図３】
2014036412.tif 000005
【図４】
2014036412.tif 000006
【図５】
2014036412.tif 000007
【図６】
2014036412.tif 000008
【図７】
2014036412.tif 000009
【図８】
2014036412.tif 000010
【図９】
2014036412.tif 000011
【図１０】
2014036412.tif 000012
【図１１】
2014036412.tif 000013
【図１２】
2014036412.tif 000014